(57)【要約】  無線通信を介したリモートデバイスの動作を制御するためのシステムである。リモートデバイスは、異なる動作レンジを有する少なくとも２つの異なる短距離無線媒体を介した通信用のリソースを含む。第１無線媒体からの走査通信信号の感知により、第２無線通信媒体を介して走査デバイスに対して既に確立されている接続からのリモートデバイスの接続解除をトリガすることができる。リモートデバイスは、リモートデバイスＩＤを走査デバイスに提供することができる。このトランザクションの結果として、一方又は両方のデバイスはモード変更を生じる場合があり、これは、ユーザに対して可聴、可視、又は触覚の確認によって信号で伝えることができる。【選択図】図７
2009521162.tif 000002
【特許請求の範囲】
【請求項１】
リモートデバイスのモードを制御するための方法であって、
第２無線媒体よりも実質的に短い伝送レンジを有する第１無線媒体を用いて、プライマリ無線通信デバイスから無線通信問い合わせを受信する段階と、
前記無線通信問い合わせが前記リモートデバイスにおいてモード変更をトリガする段階と、
を含み、
前記リモートデバイスは前記第２無線媒体を介して前記プライマリ無線通信デバイスとの通信から接続解除される、
ことを特徴とする方法。
【請求項２】
前記リモートデバイスがスレーブデバイスであり、前記プライマリ無線通信デバイスがマスタデバイスであり、前記第２無線通信媒体がブルートゥース（商標）ピコネットである、
ことを特徴とする請求項１に記載の方法。
【請求項３】
前記第１無線媒体が、前記プライマリ無線通信デバイスから前記リモートデバイスを走査するために、無線周波数（ＲＦ）、赤外線（ＩＲ）、光学式文字認識（ＯＣＲ）、バーコード、容量性、磁気、及び導電性通信の少なくとも１つを利用するマシン読み取り可能媒体である、
ことを特徴とする請求項１に記載の方法。
【請求項４】
前記リモートデバイスにおける前記モード変更が、前記リモートデバイス内に配置されたアンテナでの誘起電圧及び／又は電流の感知に応答してトリガされる、
ことを特徴とする請求項１に記載の方法。
【請求項５】
前記アンテナが、前記リモートデバイスのリモートデバイス識別符号を前記プライマリ無線通信デバイスに返す通信モジュールに接続されている、
ことを特徴とする請求項４に記載の方法。
【請求項６】
前記通信モジュールがトランスポンダである、
ことを特徴とする請求項５に記載の方法。
【請求項７】
前記プライマリ無線通信デバイスが、前記リモートデバイス識別符号を用いて前記リモートデバイスを前記第２無線媒体から接続解除する、
ことを特徴とする請求項５に記載の方法。
【請求項８】
前記第１無線媒体を用いた前記プライマリ無線通信デバイスから前記リモートデバイスへの第２の無線通信問い合わせが、前記リモートデバイスにおける別のモード変更を更にトリガする、
ことを特徴とする請求項１に記載の方法。
【請求項９】
前記モード変更がアクティビティレベル変更、他のデバイスへの可視性変更、又はパワーレベル維持変更の少なくとも１つを含む、
ことを特徴とする請求項８に記載の方法。
【請求項１０】
前記第２の無線通信問い合わせが、前記第２無線媒体を用いた前記リモートデバイスと前記プライマリ無線通信デバイスとの間の新規の接続の形成をトリガする、
ことを特徴とする請求項８に記載の方法。
【請求項１１】
前記リモートデバイスにおける前記モード変更を確認するために、可聴、可視、又は触覚のインジケータが起動される、
ことを特徴とする請求項１に記載の方法。
【請求項１２】
リモートデバイスをプライマリ無線通信デバイスから接続解除するための方法であって、
第１無線媒体による走査を介して前記リモートデバイスを感知する段階と、
前記走査に応答して前記リモートデバイスからリモートデバイス識別情報を受信する段階と、
前記リモートデバイスが第２無線媒体を介して前記プライマリ無線通信デバイスに接続されている場合、前記第２無線媒体を介して前記リモートデバイスとの前記接続を終了させる、前記プライマリ無線通信デバイスにおけるモード変更をトリガする段階と、
を含む方法。
【請求項１３】
前記リモートデバイスがスレーブデバイスであり、前記プライマリ無線通信デバイスがマスタデバイスであり、前記第２無線通信媒体がブルートゥース（商標）ピコネットである、
ことを特徴とする請求項１２に記載の方法。
【請求項１４】
前記第１無線媒体が、前記プライマリ無線通信デバイスから前記リモートデバイスを走査するために、無線周波数（ＲＦ）、赤外線（ＩＲ）、光学式文字認識（ＯＣＲ）、バーコード、容量性、磁気、及び導電性通信の少なくとも１つを利用するマシン読み取り可能媒体である、
ことを特徴とする請求項１２に記載の方法。
【請求項１５】
前記リモートデバイス識別符号の受信が、マスタポーリングモードから受信モードへの変更、電話通信モードから別のアクティブモードへの変更、及びアクティブポーリングモードからパワーセーブモードへの変更のうちの少なくとも１つを含む前記プライマリ無線通信デバイスにおけるモード変更をトリガする、
ことを特徴とする請求項１２に記載の方法。
【請求項１６】
前記プライマリ無線通信デバイスにおける前記モード変更を確認するために、可聴、可視、又は触覚のインジケータが起動される、
ことを特徴とする請求項１２に記載の方法。
【請求項１７】
リモートデバイスにおいて、
第１無線媒体を介して無線通信問い合わせを受信するための第１通信モジュールと、
前記第１通信モジュールにおいて誘起された特性を検出するために前記第１通信モジュールに接続されたセンサと、
第２無線媒体を介して通信するための第２通信モジュールと、
前記センサから受信される検出情報に応答して前記リモートデバイスにおいてモード変更をトリガするために、少なくとも前記センサ、前記第１通信モジュール、及び前記第２通信モジュールに接続されたコンピューティングデバイスと、
を備え、
前記リモートデバイスが前記第２無線媒体を介してプライマリ無線通信デバイスとの通信から接続解除される、
ことを特徴とするリモートデバイス。
【請求項１８】
前記リモートデバイスがスレーブデバイスであり、前記プライマリ無線通信デバイスがマスタデバイスであり、前記第２無線通信媒体がブルートゥース（商標）ピコネットである、
ことを特徴とする請求項１７に記載のリモートデバイス。
【請求項１９】
前記第１無線媒体が、前記プライマリ無線通信デバイスから前記リモートデバイスを走査するために、無線周波数（ＲＦ）、赤外線（ＩＲ）、光学式文字認識（ＯＣＲ）、バーコード、容量性、磁気、及び導電性通信の少なくとも１つを利用するマシン読み取り可能媒体である、
ことを特徴とする請求項１７に記載のリモートデバイス。
【請求項２０】
前記第１通信モジュールがトランスポンダであり、前記誘起された特性がトランスポンダのアンテナで誘起される電圧及び／又は電流である、
ことを特徴とする請求項１７に記載のリモートデバイス。
【請求項２１】
前記トランスポンダが前記リモートデバイスのデバイス識別符号を前記プライマリ無線通信デバイスに返す、
ことを特徴とする請求項２０に記載のリモートデバイス。
【請求項２２】
前記第１無線媒体を用いた前記プライマリ無線通信デバイスから前記リモートデバイスへの第２の無線通信問い合わせが、前記リモートデバイスにおける別のモード変更を更にトリガする、
ことを特徴とする請求項１７に記載のリモートデバイス。
【請求項２３】
前記モード変更がアクティビティレベル変更、他のデバイスへの可視性変更、又はパワーレベル維持変更の少なくとも１つを含む、
ことを特徴とする請求項２２に記載のリモートデバイス。
【請求項２４】
前記リモートデバイスにおける前記モード変更を確認するために、可聴、可視、又は触覚のインジケータが起動される、
ことを特徴とする請求項１７に記載のリモートデバイス。
【請求項２５】
プライマリ無線通信デバイスにおいて、
第１無線媒体を介してマシン読み取り可能情報を読み取るためのスキャナと、
第２無線媒体を介して通信するための送信機及び受信機と、
前記リモートデバイスが前記第２無線媒体を介して前記プライマリ無線通信デバイスにアクティブに接続されているか否かを判断し、接続されている場合に前記リモートデバイスの識別符号の走査に応答して前記プライマリ無線通信デバイスからの前記リモートデバイスの接続解除をトリガするため、少なくとも前記センサ、前記送信機、及び前記受信機に接続されたコンピューティングデバイスと、
を備えることを特徴とするプライマリ無線通信デバイス。
【請求項２６】
前記リモートデバイスがスレーブデバイスであり、前記プライマリ無線通信デバイスがマスタデバイスであり、前記第２無線通信媒体がブルートゥース（商標）ピコネットである、
ことを特徴とする請求項２５に記載のプライマリ無線通信デバイス。
【請求項２７】
前記第１無線媒体が、前記プライマリ無線通信デバイスから前記リモートデバイスを走査するために、無線周波数（ＲＦ）、赤外線（ＩＲ）、光学式文字認識（ＯＣＲ）、バーコード、容量性、磁気、及び導電性通信の少なくとも１つを利用するマシン読み取り可能媒体である、
ことを特徴とする請求項２５に記載のプライマリ無線通信デバイス。
【請求項２８】
前記リモートデバイス識別符号の受信が、マスタポーリングモードから受信モードへの変更、電話通信モードから別のアクティブモードへの変更、及びアクティブポーリングモードからパワーセーブモードへの変更のうちの少なくとも１つを含む前記プライマリ無線通信デバイスにおけるモード変更をトリガする、
ことを特徴とする請求項２５に記載のプライマリ無線通信デバイス。
【請求項２９】
前記プライマリ無線通信デバイスにおける前記モード変更を確認するために、可聴、可視、又は触覚のインジケータが起動される、
ことを特徴とする請求項２５に記載のプライマリ無線通信デバイス。
【請求項３０】
コンピュータ利用可能媒体を含み、リモートデバイスのモードを制御するためにコンピュータ読み出し可能プログラムコードを前記媒体内に具現化させたコンピュータプログラム製品であって、
第２無線通信媒体よりも実質的に短い伝送レンジを有する第１無線通信媒体を用いて、プライマリ無線通信デバイスから無線通信問い合わせを受信するためのコンピュータ読み出し可能プログラムコードを備え、
前記無線通信問い合わせが、前記リモートデバイスにおいてモード変更をトリガし、前記リモートデバイスは、前記第２無線媒体を介して前記プライマリ無線通信デバイスとの通信から接続解除される、
ことを特徴とするコンピュータプログラム製品。
【請求項３１】
前記リモートデバイスがスレーブデバイスであり、前記プライマリ無線通信デバイスがマスタデバイスであり、前記第２無線通信媒体がブルートゥース（商標）ピコネットである、
ことを特徴とする請求項３０に記載のコンピュータプログラム製品。
【請求項３２】
前記第１無線媒体が、前記プライマリ無線通信デバイスから前記リモートデバイスを走査するために、無線周波数（ＲＦ）、赤外線（ＩＲ）、光学式文字認識（ＯＣＲ）、バーコード、容量性、磁気、及び導電性通信の少なくとも１つを利用するマシン読み取り可能媒体である、
ことを特徴とする請求項３０に記載のコンピュータプログラム製品。
【請求項３３】
前記リモートデバイスにおける前記モード変更が、前記リモートデバイス内に配置されたアンテナ内の誘起電圧及び／又は電流の感知に応答してトリガされる、
ことを特徴とする請求項３０に記載のコンピュータプログラム製品。
【請求項３４】
前記アンテナが、前記リモートデバイスのデバイス識別符号を前記プライマリ無線通信デバイスに返す通信モジュールに接続されている、
ことを特徴とする請求項３３に記載のコンピュータプログラム製品。
【請求項３５】
前記通信モジュールがトランスポンダである、
ことを特徴とする請求項３４に記載のコンピュータプログラム製品。
【請求項３６】
前記プライマリ無線通信デバイスが前記リモートデバイス識別情報を用いて前記リモートデバイスを前記第２無線媒体から接続解除する、
ことを特徴とする請求項３４に記載のコンピュータプログラム製品。
【請求項３７】
前記第１無線媒体を用いた前記プライマリ無線通信デバイスから前記リモートデバイスへの第２の無線通信問い合わせが、前記リモートデバイスにおける別のモード変更を更にトリガする、
ことを特徴とする請求項３０に記載のコンピュータプログラム製品。
【請求項３８】
前記モード変更がアクティビティレベル変更、他のデバイスへの可視性変更、又はパワーレベル維持変更の少なくとも１つを含む、
ことを特徴とする請求項３７に記載のコンピュータプログラム製品。
【請求項３９】
前記第２の無線通信問い合わせが、前記第２無線媒体を用いた前記リモートデバイスと前記プライマリ無線通信デバイスとの間の新規の接続の形成をトリガする、
ことを特徴とする請求項３７に記載のコンピュータプログラム製品。
【請求項４０】
前記リモートデバイスにおける前記モード変更を確認するために、可聴、可視、又は触覚のインジケータが起動される、
ことを特徴とする請求項３０に記載のコンピュータプログラム製品。
【請求項４１】
コンピュータ利用可能媒体を含み、リモートデバイスをプライマリ無線通信デバイスから接続解除するためにコンピュータ読み出し可能プログラムコードを前記媒体内に具現化させたコンピュータプログラム製品であって、
第１無線媒体による走査を介して前記リモートデバイスを感知するためのコンピュータ読み出し可能プログラムコードと、
前記走査に応答して前記リモートデバイスからリモートデバイス識別情報を受信するためのコンピュータ読み出し可能プログラムコードと、
前記リモートデバイスが第２無線媒体を介して前記プライマリ無線通信デバイスに接続されている場合、前記第２無線媒体を介して前記リモートデバイスとの前記接続を終了させる、前記プライマリ無線通信デバイスにおけるモード変更をトリガするためのコンピュータ読み出し可能プログラムコードと、
を備えたコンピュータプログラム製品。
【請求項４２】
前記リモートデバイスがスレーブデバイスであり、前記プライマリ無線通信デバイスがマスタデバイスであり、前記第２無線通信媒体がブルートゥース（商標）ピコネットである、
ことを特徴とする請求項４１に記載のコンピュータプログラム製品。
【請求項４３】
前記第１無線媒体が、前記プライマリ無線通信デバイスから前記リモートデバイスを走査するために、無線周波数（ＲＦ）、赤外線（ＩＲ）、光学式文字認識（ＯＣＲ）、バーコード、容量性、磁気、及び導電性通信の少なくとも１つを利用するマシン読み取り可能媒体である、
ことを特徴とする請求項４１に記載のコンピュータプログラム製品。
【請求項４４】
前記リモートデバイス識別符号の受信が、マスタポーリングモードから受信モードへの変更、電話通信モードから別のアクティブモードへの変更、及びアクティブポーリングモードからパワーセーブモードへの変更のうちの少なくとも１つを含む前記プライマリ無線通信デバイスにおけるモード変更をトリガする、
ことを特徴とする請求項４１に記載のコンピュータプログラム製品。
【請求項４５】
前記プライマリ無線通信デバイスにおける前記モード変更を確認するために、可聴、可視、又は触覚のインジケータが起動される、
ことを特徴とする請求項４１に記載のコンピュータプログラム製品。
【請求項４６】
リモートデバイスを制御するためのシステムであって、
リモートデバイスと、
プライマリ無線通信デバイスと、
を備え、
前記プライマリ無線通信デバイスが第２無線媒体を介して前記リモートデバイスと通信し、第１無線通信媒体を用いた走査によって前記リモートデバイスと更に通信し、
前記リモートデバイスが前記リモートデバイス内に配置されたトランスポンダのアンテナ内の誘起された特性を介して前記プライマリ通信デバイスからの前記走査を感知し、前記リモートデバイスが更に、前記感知に応答してモード変更に入り、
前記プライマリ通信デバイスが前記リモートデバイスの前記トランスポンダからリモートデバイス識別符号を受信し、前記プライマリ通信デバイスが、前記リモートデバイス識別符号の前記受信に応答して前記第２無線媒体を介して前記プライマリ無線通信デバイスとの通信から前記リモートデバイスを接続解除し、
前記プライマリ通信デバイスが前記リモートデバイス識別符号の前記受信に応答してモード変更に入る、
ことを特徴とするシステム。
【請求項４７】
前記リモートデバイスがスレーブデバイスであり、前記プライマリ無線通信デバイスがマスタデバイスであり、前記第２無線通信媒体がブルートゥース（商標）ピコネットである、
ことを特徴とする請求項４６に記載のシステム。
【請求項４８】
前記第１無線媒体が無線周波数（ＲＦ）通信及び赤外線（ＩＲ）通信の少なくとも１つを含むマシン読み取り可能媒体である、
ことを特徴とする請求項４６に記載のシステム。
【発明の詳細な説明】
【技術分野】
【０００１】
本出願は、２００５年１２月２１日に出願された名称「通信リンクを閉じるための方法」の米国出願番号１１／３１２，７７３に基づき、これに対する優先権を請求するものであり、この内容全体は引用により本明細書に組み込まれる。
【０００２】
本発明は、無線通信がリンクされたリモートデバイスの動作を制御するためのシステムに関し、より詳細には、第１無線媒体でリモートデバイスを走査することにより、第２無線媒体を用いて無線通信を行うリモートデバイスの動作を制御するシステムに関する。
【背景技術】
【０００３】
現代社会は、無線通信用に携帯用デバイスを急速に導入し、これに依存するようになってきた。例えば、携帯電話は、通信品質及びデバイスの機能性の両方における技術上の進歩により世界的市場で激増し続けている。これらの無線通信デバイス（ＷＣＤ）は、個人用及び業務用の両方で普及しており、ユーザが多くの地理的場所から音声、テキスト、グラフィックデータを送受信することができるようになった。これらのデバイスによって利用される通信ネットワークは、異なる周波数にわたり、異なるブロードキャストの距離をカバーしており、各々が種々のアプリケーションに望ましい長所を有する。
【０００４】
セルラーネットワークは、広い地理的エリアにわたってＷＣＤ通信を可能にする。これらのネットワーク技術は、１９７０年代後半から１９８０年代初めに基本的な音声通信を提供した第１世代（１Ｇ）アナログ式携帯電話から始まり、２００６〜２００７年の期間に予定された現在の新生の４Ｇストリーミングデジタルビデオコンテンツにまで、一般的に世代で分けられている。ＧＳＭは、ヨーロッパでは９００ＭＨＺ〜１．８ＧＨＺの帯域、米国では１．９ＧＨＺで通信する幅広く利用されている２Ｇデジタルセルラーネットワークの実施例である。このネットワークは、音声通信を提供し、更にショートメッセージングサービス（ＳＭＳ）を介してテキストデータの送信をサポートする。ＳＭＳにより、ＷＣＤは最大１６０文字のテキストメッセージを送受信することができ、パケットネットワーク、ＩＳＤＮ、及びＰＯＴＳユーザに９．６Ｋｂｐｓでデータ転送を提供する。単純なテキストに加えて、サウンド、グラフィック、及びビデオファイルの送信を可能にする拡張メッセージングシステムであるマルチメディアメッセージングサービス（ＭＭＳ）もまた、特定のデバイスで利用可能になってきた。間もなく、携帯機器向けデジタルテレビ放送規格（ＤＶＢ−Ｈ）などの新生技術は、ストリーミングデジタルビデオ及び他の同様のコンテンツをＷＣＤへのダイレクトブロードキャストにより利用可能にするであろう。ＧＳＭのような長距離通信ネットワークは、コスト、トラフィック、及び法的関連の理由から、データを送受信するために十分に受け入れられる手段であるが、全てのデータアプリケーションに関してこれらのネットワークが適切であるとは限らない。
【０００５】
短距離無線ネットワークは、大規模セルラーネットワークで見られる問題の一部を回避する通信ソリューションを提供する。ブルートゥース（商標）は、市場で急速に受け入れられつつある短距離無線技術の実施例である。ブルートゥース（商標）対応のＷＣＤは、１０メートルのレンジ内では７２０Ｋｂｐｓの速度でデータを送受信し、電力ブースティングの追加により最大１００メートルまで送信することができる。ユーザは、ブルートゥース（商標）ネットワークをアクティブには推進していない。代わりに、互いの動作レンジ内にいる複数のデバイスが「ピコネット」と呼ばれるネットワークグループを自動的に形成する。いずれのデバイスも、自らをピコネットのマスタに昇格させることができ、これにより、最大７つの「アクティブ」スレーブ及び２５５の「パーク」スレーブとのデータ交換を制御することができる。アクティブスレーブは、マスタのクロックタイミングに基づいてデータを交換する。パークスレーブは、マスタと同期したままでいるためにビーコン信号を監視して、アクティブスロットが利用可能になるのを待機する。これらのデバイスは、他のピコネットメンバにデータを送信するために様々なアクティブ通信モードとパワーセーブモードとを連続的に切り替える。ブルートゥース（商標）に加えて、他の一般的な短距離無線ネットワークは、ＷＬＡＮ（その中で、ＩＥＥＥ  ８０２．１１標準規格に従って通信を行う「Ｗｉ−Ｆｉ」ローカルアクセスポイントが一例である）、ＷＵＳＢ、ＵＷＢ、その他を含む。これらの無線媒体の全てが種々のアプリケーションに対して適切なものとする特徴及び利点を有する。
【０００６】
前述の特徴の一部又は全てを組み込む無線通信デバイスは、生産性を高めるための強力なツールである。以前は完了するのに複数の個々のデバイスが協動する必要のあったタスクをこれらの単一デバイスを利用して行うことができる。電話、電子メール、インスタントメッセージング、インターネットブラウザ、ファクシミリ、オーディオ及びビデオ録画機能、オーディオ及びビデオ再生、ワードプロセッシング、スケジューリング、コンタクトマネージャ、会議ツール、及び他の様々なアプリケーションが１つの小型パッケージに全て包含される。この場合の小型のデバイスサイズは、デバイスの持ち運びに関しては有利であるが、この縮小サイズによりデバイスの利便性が阻害される場合があり、ユーザが、上述のアプリケーションの利便性及びユーザの生産性を助けるためにプライマリＷＣＤに他の付属デバイスを一時的に一体化することを求めるよう促進されることになる。
【０００７】
ＷＣＤのアクセサリデバイスは、使用するために、例えばケーブル又はワイヤなど元々は物理的な取付具を必要とした。小型ＷＣＤ上の物理接続ポートが限られた数であることで、これらのアクセサリの使用が一度に１つ又は恐らくは２つに制限され、更に、必然的に不都合なワイヤのもつれを引き起こした。技術の進歩に伴って、ブルートゥース（商標）のような無線通信媒体がこれらのワイヤの代わりとして開発された。現在、ＷＣＤは、通信ケーブル又はワイヤの物理的な制約なしで複数の衛星アクセサリデバイスとのアクティブ接続を保持することができる。
【０００８】
ブルートゥース（商標）のような通信技術が成長するにつれて、これらのタイプの短距離媒体用のアプリケーションが拡大し続けている。現在のところ、ユーザは複数のリモートアクセサリデバイスをＷＣＤに無線接続させることができるだけでなく、他のユーザの遭遇する携帯端末のような他の無線通信デバイスと情報を配布するための無線アクセスポイントとのアクティブ通信も発生する場合がある。結果として、ＷＣＤは、特定の媒体に対して実行される同時発生の無線アクティビティの数に直ぐに圧倒されるようになる可能性があり、従って、全てのトランザクション性能が影響を受けることになる。ユーザは、これらのデバイス全てのアクティビティ及び接続状態を手動で維持するよう試みることはできるが、現行の接続管理システムは、無線通信を介して得られる利点を多少無効にする煩雑なインタフェースの使用を必要とする。
【０００９】
従って、必要とされるものは、ＷＣＤに無線接続された様々なリモートデバイスの動作モードをユーザが簡単に管理することができるようにするシステムである。この動作管理は、ＷＣＤ及び／又はリモートデバイス内の様々な設定及びコントロールメニューの操作を必要とすべきではなく、ＷＣＤに対するリモートデバイスの近接性などのデバイス間の物理関係に応じて一方又は両方のデバイスで即座にモード変更ができるようにすべきである。モード変更は、幾つかの種類の可聴又は可視信号を介してリモートデバイス及び／又はＷＣＤによって確認応答されるべきである。リモートデバイス及び／又はＷＣＤの現在のモードは、モード変更インジケータにより判断可能とすべきである。
【発明の開示】
【００１０】
本発明は、無線通信を介してリモートデバイスの動作を制御するための方法、装置、システム、及びコンピュータプログラムに関する。リモートデバイスは、異なる動作レンジを有する少なくとも２つの異なる短距離無線媒体を介した通信用のリソースを含む。第１無線媒体からの走査信号などの通信信号の感知により、第２通信媒体を介して既にアクティブ通信中のリモートデバイス及び／又は走査デバイスの動作モードを変更することができる。一方又は両方のデバイスにおけるモード変更は、両方のデバイスのユーザに知覚可能なインジケータにより確認応答することができ、該インジケータはまた、各デバイスの現在のモードの決定要因とすべきである。
【００１１】
本発明の少なくとも１つの実施形態において、リモートデバイスは、第２通信媒体を介してＷＣＤとアクティブ通信状態にある。ユーザは、リモートデバイスを必要とする現在のタスクを完了し、このアクセサリとのアクティブ接続を終了したいと思う。次いで、ユーザは、ＷＣＤ内の第１無線媒体の有効な走査レンジ内にリモートデバイスを移動させ、その結果、リモートデバイス内のトランスポンダを走査することになる。この無線トランザクションの結果として、第２無線媒体によって現在行われている２つのデバイス間のアクティブ接続を終了することができる。
【００１２】
本発明の更なる実施形態において、第１無線媒体における走査トランザクションの結果として、リモートデバイス及びプライマリＷＣＤの一方又は両方のモードが変更される。第１無線媒体の有効走査レンジ内にリモートデバイスを移動させて戻すことにより、結果としてリモートデバイス及びプライマリＷＣＤの一方又は両方の更なるモード変更をもたらすことができる。更に、リモートデバイス及びＷＣＤがモードを変更するときに、可聴、可視、又は触覚のインジケータをトリガすることができる。このインジケータは、モード変更の成功、更に一方又は両方のデバイスの現在のモードをデバイスユーザに通知することができる。
【発明を実施するための最良の形態】
【００１３】
本発明は、添付図面を参照しながら好ましい実施形態の以下の詳細な説明から一層理解されるであろう。
好ましい実施形態において本発明を説明してきたが、添付の請求項に記載される本発明の精神及び範囲に逸脱することなく、種々の変更を加えることができる。
【００１４】
Ｉ．異なる無線通信ネットワークを介した無線通信
ＷＣＤは、各々が速度、レンジ、品質（誤り訂正）、セキュリティ（符号化）、その他に関して異なる利点を有する、多様な無線通信ネットワークを介して情報の送受信の両方を行うことができる。これらの特性は、受信側デバイスに転送することができる情報量及び情報転送期間に影響する。図１は、ＷＣＤと、該ＷＣＤが様々なタイプの無線ネットワークとどのように対話するかの図を含む。
【００１５】
図１に描かれた実施例では、ユーザ１１０がＷＣＤ１００を所有している。このデバイスは、基本的な携帯端末から無線対応のパームトップ又はラップトップコンピュータなどのより複雑なデバイスまでのいずれとすることができる。近距離通信（ＮＦＣ）１３０は、通常は走査側デバイスのみが自己電源を必要とする種々のトランスポンダ型対話を含む。ＷＣＤ１００は、短距離通信を介してソース１２０を走査する。ソース１２０内のトランスポンダは、ＲＦＩＤ通信の場合のように、走査信号内に含まれているエネルギー及び／又はクロック信号を使用してトランスポンダに格納されているデータで応答することができる。これらのタイプの技術は、通常、数インチから数フィートまでの実効伝送レンジを有し、９６ビットからメガビット（又は１２５キロバイト）を超える量の格納データを比較的迅速に配信することができる。これらの特徴により、このような技術は公共交通機関提供者の口座番号、自動電子ドアロックのキーコード、クレジット又はデビットトランザクションの口座番号、その他を受信するためなどの識別目的に最適なものとなる。
【００１６】
２つのデバイス間の伝送レンジは、両方のデバイスが高出力通信を実行することができる場合には拡張することができる。短距離アクティブ通信１４０は、送信側及び受信側デバイスが両方ともアクティブである応用例を含む。例示的な状況は、ユーザ１１０がブルートゥース（商標）、ＷＬＡＮ、ＵＷＢ、ＷＵＳＢ、その他のアクセスポイントの実効伝送レンジ内に入って来る場合を含む。ブルートゥース（商標）の場合、ユーザ１１０により所有されるＷＣＤ１００に情報を送信するためにネットワークを自動的に確立することができる。このデータは、情報提供的、教育的、又は娯楽的な性質の情報を含むことができる。ユーザ１１０がアクセスポイントの実効伝送レンジ内にいるときには情報が全て転送されなければならないことを除けば、搬送される情報量は制限されない。例えばユーザが、ショッピングモールを歩き周り又は通りを歩いている場合には、この時間期間は極端に制限される。これらの無線ネットワークの高度な複雑度に起因して、ＷＣＤ１００への初期接続を確立するのに追加の時間も必要となり、アクセスポイントに近接したエリアにおいてサービスを待っている数多くのデバイスがある場合には、この時間は更に増大する可能性がある。これらのネットワークの実効伝送レンジは、技術によって決まり、３２フィートから追加の電力ブースティングにより３００フィートを超えるまでとすることができる。
【００１７】
長距離ネットワーク１５０を利用して、仮想上中断されない通信カバレッジをＷＣＤ１００に提供する。陸上無線局又は衛星を使用して、様々な通信トランザクションを世界中に中継する。これらのシステムは極めて機能的であるが、これらのシステムの使用は、データ転送（例えば無線インターネットアクセス）のための追加料金を含まずに、毎分単位でユーザ１１０に課金されることがある。更に、これらのシステムを対象とする規制により、ユーザ及びプロバイダの両方に追加のオーバーヘッドが生じ、これらのシステムの使用をより煩雑にする。
【００１８】
ＩＩ．無線通信デバイス
前述のように、本発明は、様々な無線通信装置を用いて実施することができる。従って、本発明を詳しく見る前に、ユーザ１１０が利用可能な通信ツールを理解することが重要である。例えば、携帯電話又は他の携帯用無線デバイスの場合、デバイスの総合的なデータ処理能力が、送信側デバイスと受信側デバイスとの間のトランザクションを円滑にする上で重要な役割を果たす。
【００１９】
図２は、本発明で使用可能な無線通信デバイスの例示的なモジュールレイアウトを開示している。ＷＣＤ１００は、デバイスの機能面を表すモジュールに分類される。これらの機能は、以下で説明するソフトウェア及び／又はハードウェア構成要素の種々の組み合わせにより実行することができる。
【００２０】
制御モジュール２１０は、デバイスの動作を調整する。ＷＣＤ１００に含まれる他の様々なモジュールから入力を受け取ることができる。例えば、干渉感知モジュール２２０は、当該分野で公知の様々な技術を用いて、無線通信デバイスの実効伝送レンジ内の環境的干渉のソースを感知することができる。制御モジュール２１０は、これらのデータ入力を解釈して、これに応じてＷＣＤ１００内の他のモジュールに対して制御コマンドを送出することができる。
【００２１】
通信モジュール２３０は、ＷＣＤ１００の通信面の全てを組み込む。図２に示されるように、通信モジュール２３０は、例えば、長距離通信モジュール２３２、短距離通信モジュール２３４、マシン読み取り可能データモジュール２３６を含むことができる。通信モジュール２３０は、少なくともこれらのサブモジュールを利用して局所及び長距離ソースの両方から様々なタイプの多くの通信を受信し、ＷＣＤ１００のブロードキャストレンジ内の受信側デバイスにデータを送信する。通信モジュール２３０は、制御モジュール２１０により、又は感知されたメッセージ、環境的影響、及び／又はＷＣＤ１００に近接する他のデバイスに応答するモジュールに局所の制御リソースによりトリガすることができる。
【００２２】
ユーザインタフェースモジュール２４０は、ユーザ１１０がデバイスからデータを受信し且つデバイスにデータを入力することができるようにする可視、可聴、及び触覚要素を含む。ユーザ１１０により入力されたデータは、制御モジュール２１０により解釈されて、ＷＣＤ１００の挙動に影響を与えることができる。ユーザ入力データはまた、通信モジュール２３０により実効伝送レンジ内の他のデバイスに送信することもできる。伝送レンジ内の他のデバイスはまた、通信モジュール２３０を介してＷＣＤ１００に情報を送信することもでき、制御モジュール２１０により、この情報がユーザに提示するためにユーザインタフェースモジュール２４０に転送されるようにすることもできる。
【００２３】
アプリケーションモジュール２５０は、ＷＣＤ１００上の他の全てのハードウェア及び／又はソフトウェアアプリケーションを組み込む。これらのアプリケーションは、センサ、インタフェース、ユーティリティ、インタープリタ、データアプリケーション、その他を含むことができ、制御モジュール２１０により呼び出されて、種々のモジュールにより提供される情報を読み取り、次いで、ＷＣＤ１００内の要求側モジュールに情報を供給することができる。
【００２４】
図３は、図２で既に説明されたモジュラーシステムの機能性を実施するのに使用することができる本発明の１つの実施形態によるＷＣＤ１００の例示的な構造レイアウトを開示している。プロセッサ３００がデバイスの動作全体を制御する。図３に示されるように、プロセッサ３００は、通信セクション３１０、３２０、及び３４０に結合されている。プロセッサ３００は、メモリ３３０内に格納されたソフトウェア命令を各々が実行することができる１つ又はそれ以上のマイクロプロセッサで実施することができる。
【００２５】
メモリ３３０は、ランダムアクセスメモリ（ＲＡＭ）、読み出し専用メモリ（ＲＯＭ）、及び／又はフラッシュメモリを含むことができ、データ及びソフトウェア構成要素（本明細書ではモジュールとも呼ばれる）の形式で情報を格納する。メモリ３３０により格納されるデータは、特定のソフトウェア構成要素に関連付けることができる。更に、このデータは、ブックマークデータベース又はスケジューリング用の業務データベース、電子メール、その他などのデータベースに関連付けることができる。
【００２６】
メモリ３３０により格納されるソフトウェア構成要素は、プロセッサ３００により実行することができる命令を含む。メモリ３３０には様々なタイプのソフトウェア構成要素を格納することができる。例えば、メモリ３３０は、通信セクション３１０、３２０、及び３４０の動作を制御するソフトウェア構成要素を格納することができる。メモリ３３０はまた、ファイアウォール、サービスガイドマネージャ、ブックマークデータベース、ユーザインタフェースマネージャ、及びＷＣＤ１００をサポートするのに必要なあらゆる通信ユーティリティモジュールも格納することができる。
【００２７】
長距離通信３１０は、アンテナを介した（セルラーネットワークなどの）広い地理的エリアにわたる情報の交換に関連する機能を実行する。これらの通信方法は、前述の１Ｇから３Ｇ及び近い将来の第４世代ストリーミングビデオ伝送までの技術を含む。（例えばＧＳＭを介した）基本的な音声通信に加えて、長距離通信３１０は、汎用パケット無線サービス（ＧＰＲＳ）セッション及び／又はユニバーサル移動体通信システム（ＵＭＴＳ）セッションなどのデータ通信セッションを確立するように動作することができる。また、長距離通信３１０は、ショートメッセージングサービス（ＳＭＳ）メッセージ及び／又はマルチメディアメッセージングサービス（ＭＭＳ）メッセージなどのメッセージを送受信するように動作することができる。
【００２８】
長距離通信３１０のサブセットとして、或いはプロセッサ３００に個別に接続された独立モジュールとして（図示されていない）動作するブロードキャスト受信機３１２により、ＷＣＤ１００は、携帯機器向けデジタルテレビ放送規格（ＤＶＢ−Ｈ）などの媒体を介してブロードキャストメッセージを受信することができる。これらの伝送は、特定の指定された受信側デバイスしかブロードキャストコンテンツにアクセスすることができないように符号化することができ、テキスト、オーディオ、又はビデオ情報を含むことができる。少なくとも１つの実施例では、ＷＣＤ１００がこれらのブロードキャストを受信して、受信したコンテンツの表示をデバイスが許可されているか否かをブロードキャスト信号に含まれている情報を用いて判断することができる。
【００２９】
短距離通信３２０は、短距離無線ネットワークにわたる情報の交換に関わる機能を担う。上記及び図３に示されるように、このような短距離通信３２０の実施例は、ブルートゥース（商標）、ＷＬＡＮ、ＵＷＢ、及び無線ＵＳＢ接続に限定されない。従って、短距離通信３２０は、短距離接続の確立に関連する機能、並びにこのような接続を介した情報の送受信に関連する処理を実行する。
【００３０】
短距離入力デバイス３４０は、図３にも示されているが、マシン読み取り可能データの短距離走査に関連する機能性を提供することができる。例えば、プロセッサ３００は、短距離入力デバイス３４０を制御してＲＦＩＤトランスポンダを起動するためのＲＦ信号を生成することができ、更に、ＲＦＩＤトランスポンダからの信号の受信を制御することができる。短距離入力デバイス３４０によりサポートすることができるマシン読み取り可能データ読み取りのための他の短距離走査方法は、ＩＲ通信、線形及び２−Ｄ（例えばＱＲ）バーコードリーダ（ＵＰＣラベルの解釈に関連する処理を含む）、及び磁気、ＵＶ、導電性又は適切なインクを用いてタグで提供することができる他のタイプのコード化データを読み取るための光学式文字認識デバイスには限定されない。短距離入力デバイス３４０が前述のタイプのマシン読み取り可能データを走査するために、入力デバイスは、光検出器、磁気検出器、ＣＣＤ、又はマシン読み取り可能情報を解釈するための当該分野の公知の他のセンサを含むことができる。
【００３１】
図３に更に示されるように、ユーザインタフェース３５０もプロセッサ３００に結合されている。ユーザインタフェース３５０によりユーザとの情報の交換が可能になる。図３は、ユーザインタフェース３５０がユーザ入力３６０及びユーザ出力３７０を含むことを示している。ユーザ入力３６０は、ユーザが情報を入力することを可能にする１つ又はそれ以上の構成要素を含むことができる。このような構成要素の実施例には、キーパッド、タッチスクリーン、及びマイクロフォンが含まれる。ユーザ出力３７０により、ユーザはデバイスから情報を受け取ることができる。従って、ユーザ出力部３７０は、ディスプレイ、発光ダイオード（ＬＥＤ）、触覚エミッタ、及び１つ又はそれ以上のオーディオスピーカなどの様々な構成要素を含むことができる。例示的なディスプレイには、液晶ディスプレイ（ＬＣＤ）、及び他のビデオディスプレイが含まれる。
【００３２】
ＷＣＤ１００はまた、１つ又はそれ以上のトランスポンダ３８０を含むことができる。これは基本的に、外部ソースからの走査に応答して配信される情報でプロセッサ３００がプログラムすることができる受動デバイスである。例えば、通路に取り付けられたＲＦＩＤスキャナは、高周波を連続的に放出することができる。トランスポンダ３８０を含むデバイスを携行する人物がドアを通り抜けると、トランスポンダが通電され、デバイス、人物、その他を識別する情報で応答することができる。
【００３３】
通信セクション３１０、３１２、３２０、及び３４０に相当するハードウェアは、信号の送受信を可能にする。従って、これらの部分は、変調、復調、増幅、及びフィルタリングなどの機能を実行する構成要素（例えば電子機器）を含むことができる。これらの部分は局所的に制御されるか、又はメモリ３３０内に格納されているソフトウェア通信構成要素に従ってプロセッサ３００が制御することができる。
【００３４】
図３に示されている要素は、図２で説明された機能性をもたらすために様々な技術により構成及び結合することができる。このような１つの技術は、プロセッサ３００、通信セクション３１０、３１２、及び３２０、メモリ３３０、短距離入力デバイス３４０、ユーザインタフェース３５０、トランスポンダ３８０、その他に相当する個別のハードウェア構成要素を１つ又はそれ以上のバスインタフェースを介して結合することを含む。或いは、個々の構成要素のいずれか又は全ては、スタンドアロンのデバイスの機能を複製するようプログラムされた、プログラム可能論理回路、ゲートウェイ、ＡＳＩＣ、マルチチップモジュール、その他の形式の集積回路に置き換えることができる。更に、これらの構成要素の各々は、取り外し可能及び／又は再充電可能なバッテリー（図示せず）などの電源に結合される。
【００３５】
ユーザインタフェース３５０は、同様にメモリ３３０内に含まれ、長距離通信３１０及び／又は短距離通信３２０を用いてサービスセッションを確立することができる通信ユーティリティソフトウェア構成要素と対話することができる。通信ユーティリティ構成要素は、ワイヤレスアプリケーションプロトコル（ＷＡＰ）、コンパクトＨＴＭＬのようなハイパーテキストマークアップ言語（ＨＴＭＬ）の変種、その他などの媒体によりリモートデバイスからサービスを受けることを可能にする様々なルーチンを含むことができる。
【００３６】
リモートサーバとのＷＡＰ通信で使用するときには、デバイスはＷＡＰクライアントとして機能する。この機能性を提供するために、ソフトウェア構成要素は、ワイヤレスマークアップ言語（ＷＭＬ）ブラウザ、ＷＭＬＳｃｒｉｐｔエンジン、Ｐｕｓｈ  Ｓｕｂｓｙｓｔｅｍ、及びＷｉｒｅｌｅｓｓ  Ｍｅｄｉｕｍ  ＳｔａｃｋなどのＷＡＰクライアントソフトウェア構成要素を含むことができる。
【００３７】
アプリケーション（図示せず）は、ＷＡＰクライアントソフトウェアと対話して多様な通信サービスを提供することができる。このような通信サービスの実施例は、ヘッドラインニュース、為替相場、スポーツ結果、株価情報、天気予報、多言語表現辞書、ショッピング及び食事情報、地域交通（例えばバス、列車、及び／又は地下鉄）時刻表、個人オンライン予定表、並びにオンライン旅行及び銀行サービスなどのインターネットベースのコンテンツの受信を含む。
【００３８】
ＷＡＰ対応デバイスは、デックと呼ばれる小さなファイルにアクセスすることができ、デックの各々は、カードと呼ばれる更に小さなページを含む。カードは、本明細書ではマイクロブラウザと呼ばれる小型ディスプレイ領域に適合するよう十分に小さい。マイクロブラウザの小型サイズ及び小型のファイルサイズは、低メモリデバイス及び無線リンクによりもたらされる低帯域幅の通信制約に対応するのに適している。
【００３９】
カードは、小型スクリーン及びキーボードを持たない片手操作のナビゲーション用に特別に開発されたワイヤレスマークアップ言語（ＷＭＬ）で記述されている。ＷＭＬは、２行テキストディスプレイ、並びにスマートフォン、ＰＤＡ、及びパーソナルコミュニケータなどのデバイス上に見受けられる大型ＬＣＤスクリーンに及ぶ広範なディスプレイと互換性があるように拡張可能である。ＷＭＬカードは、Ｊａｖａ（登録商標）Ｓｃｒｉｐｔに類似するＷＭＬＳｃｒｉｐｔで記述されたプログラムを含むことができる。しかしながら、これらの他のスクリプト記述言語で見られる幾つかの不要機能を省くことにより、ＷＭＬＳｃｒｉｐｔはメモリ及び処理要件を低減する。
【００４０】
ＣＨＴＭＬは、小型コンピューティングデバイス（例えば、モバイルコミュニケータ、ＰＤＡ、その他）で使用するように適合された標準ＨＴＭＬコマンドセットのサブセットである。この言語により、ポータブルデバイス又は携帯用デバイスが、インターネット上でより自由に対話することが可能となる。ＣＨＴＭＬは、小型コンピューティングデバイスのパワー、処理、メモリ、及びディスプレイの制約を考慮して、標準ＨＴＭＬから余分なものを省いてこれらの制約に適した合理化バージョンになっている。例えば、より高度なイメージマップ、背景、フォント、フレーム及びＪＰＥＧイメージのサポートの多くは取り除かれている。更に、ＣＨＴＭＬディスプレイはポータブルデバイスのスクリーン内に収まることを前提としているので、スクロール機能はサポートされていない。ＣＨＴＭＬはまた、カーソルの二次元移動を行わずに動作するように設計されている。代わりに、４つのボタンのみで操作することができ、これは、より広い種類の小型コンピューティングデバイスにわたるＣＨＴＭＬの実装を可能にする。
【００４１】
ＩＩＩ．リモートデバイス
図４は、本発明で使用可能な他の様々な無線デバイス又はリモートデバイスを開示している。ＷＣＤ１００は、１つ又はそれ以上のリモートデバイスと個々に又は同時に対話することができる。図４のアイテム４００及び４１０は、ユーザ１１０の生産性を高めるためにＷＣＤと共に使用可能なアクセサリの実施例である。ヘッドセット４００は、例えば、電話の通話中にユーザ１１０からＷＣＤ１００に対して音声情報を伝達するのに使用することができる。このリモートデバイスは、デバイスの小型の性質のために（ヘッドセット４００を囲む小さな破線の円で表される）極めて短い伝送レンジを有することができ、ユーザ１１０がこのリモートデバイスを身に付けるとすれば、ＷＣＤ１００もまたそのユーザ上にある（保持している、ベルトに留められている、ポケットに収められている、その他）。キーボード４１０はこれよりも僅かに長いレンジを有する。このリモートデバイスは、電子メールプログラム、スケジュール、ワードプロセッサ、その他に情報をタイプ入力するためのユーザインタフェースデバイスとしてＷＣＤ１００と共に使用することができる。ヘッドセット４００及びキーボード４１０を共に使用してＷＣＤ１００を動作させることができる点に留意することは重要である。両方のデバイスがブルートゥース（商標）を用いて動作する場合、ＷＣＤ１００は、両方のリモートデバイスを含むピコネットを作成するマスタとしての機能を果たすことができる。この方法で、ユーザ１１０は、電話で会話しながら同時に通話に関するメモをタイプすることができる。ヘッドセット４００及びキーボード４１０は、ＷＣＤ１００と共に使用することができる無数のアクセサリリモートデバイスの２つの実施例にすぎない。
【００４２】
アイテム４２０及び４３０もまた、ブルートゥース（商標）のような通信媒体を使用してＷＣＤ１００と通信することができる。携帯電話４２０は、ＷＣＤ１００にコンタクトするか、又はＷＣＤ１００によりコンタクトされてピコネットを形成することができ、この場合いずれのデバイスもマスタとすることができる。次に、２つのデバイスは、業務又は自宅の連絡先、広告情報、発券情報、その他などの情報を交換することができる。地方自治体、商業、教育、又は個人使用のための同様の機能を行うためにサービスポイント４３０をセットアップすることができる。サービスポイント４３０は、場合によっては、ショッピングモールのような歩行者が集まるエリアに配置するか、又は公共交通機関に取り付けることができる。サービスポイント４３０の伝送レンジ内に入る様々なユーザに自動的にコンタクトし、公共交通機関の時刻表に関する情報、特別イベント、セール、及び売出しの通知、レストランのメニュー、その他を受け取ることができる。ユーザ１１０は、ＷＣＤ内にフィルタを設定し、特定の情報を後で表示するために保存できるようにすることができる。リモートデバイス４００及び４１０と同様に、各デバイスを囲む円のサイズが大きくなると、各デバイスの相対的な実効伝送レンジが左から右に大きくなることを示している。サービスポイント４３０の場合、ユーザがデバイスの１０〜２０フィート以内に入ると直ちにユーザにコンタクトするようにしてもよい。この拡張レンジが必要とされるのは、ユーザ１１０が短い時間期間にサービスポイント４３０の伝送距離内に留まるだけでよいからである。
【００４３】
図４に開示されるデバイスは、単に例証として提示されたものであり、本発明の種々の実施形態に関する限定とみなすべきではない。互換性のある無線媒体を用いて無線通信を行うことができるあらゆる電子デバイスは、ＷＣＤと対話することができ、或いは場合によってはＷＣＤによって制御することができる。この無線通信能力を含む現在製造中の数々の電子デバイスの実施例は、短距離無線接続性を有するデジタルカメラ、携帯用メディアプレーヤ、テレビ、ビデオ及びＤＶＤプレーヤを含む。
【００４４】
図５は、図４に示されているリモートデバイスの全てがＷＣＤ１００と全て同時に対話しようと試みる状況を示している。この図に示されている「活動」の総量は、数多くのアクティブなリモートデバイスが遭遇する可能性のある潜在的な遅延問題を明示している。マスタデバイスとして、ＷＣＤ１００は、利用可能なトランザクションの帯域幅をこれらのデバイスの全ての間で分割しなければならず、従って、システム性能全体が遅くなる可能性がある。性能が遅くなると、全てのスレーブデバイスの動作に悪影響を及ぼすことになる。オーディオの送受信は中断又は遅延される可能性があり、キー打ちが欠落する場合があり、様々なリモートデバイスとの間のデータ伝送時間が長くなることがあり、従って、アップロード／ダウンロード全体を許容時間内に完了することができない可能性がある。
【００４５】
これらの問題の発生を防ぐための１つの方法は、ＷＣＤ１００とのアクティブ通信に現在参加していないリモートデバイスの接続を解除することである。これを行うための明白な方法は、そのリモートデバイスの電源を遮断することである。しかしながら、近い将来にこのリモートデバイスの使用が予想される理由から、ユーザ１１０がこのリモートデバイスを非作動にしたくない場合がある。デバイスの電源を遮断せずにピコネットからこのデバイスを取り外す従来の方法は、ピコネットに関わる一方又は両方のデバイスの設定プロセスにユーザが入り、リモートデバイスの接続解除を手動で指示するものである。このプロセスは、正しい制御識別子にたどり着くために複数の設定画面を行き来することを含むことができ、これがユーザにとって望ましくない作業となる。説明するように、本発明は、デバイスの電源を切る必要もなく迅速且つ簡単な方法でピコネットから該デバイスを手動で取り外す目標を達成することができる。
【００４６】
ＩＶ  少なくとも２つの通信媒体を用いて実施される制御
図６は、本発明の少なくとも１つの実施形態に関連するプロセスを開示している。ヘッドセット４００はまた、処理及びアプリケーションセクション６００、トランスポンダ６１０、及びメイン通信６２０を含む概略図として表すことができる。ヘッドセット４００は、電話での会話、口述筆記、その他のときにユーザ１１０により身に付けられる。処理及びアプリケーションセクション６００は、ユーザ１１０からの音声出力のオーディオ入力を受け取り、この情報をＷＣＤ１００に送信するために処理する（例えば準備、変換、圧縮、その他を行う）。処理及びアプリケーションセクション６００は、これらの機能を実行するのに必要なハードウェア及び／又はソフトウェアのあらゆる組み合わせを含むことができる。次いで情報は、メイン通信セクション６２０を使用してＷＣＤ１００に送信される。逆に、無線情報は、ＷＣＤ１００がメイン通信セクション６２０を介してヘッドセット４００に送信することができる。この情報は、処理及びアプリケーションセクション６００によって処理されてオーディオ情報にすることができる。その結果、ユーザ１１０はこの着信オーディオを聴くことができる。
【００４７】
前述のように、ＷＣＤ１００は、短距離にわたりマシン読み取り可能情報を走査するためのハードウェア及び／又はソフトウェアを含むことができる。図６に開示されている実施例では、ヘッドセット４００がトランスポンダ６１０を含む。（図６のＤ１として示されている）短距離において、ＷＣＤ１００は、トランスポンダ６１０からの情報を読み出すためにヘッドピース４００を走査することができる。この走査は、「媒体１」として示されているＩＲ又はＲＦＩＤのような短距離通信媒体を利用することができる。短距離走査は、２つの作用を引き起こすことができる。第１に、走査は、例えばトランスポンダ６１０のアンテナコイルで誘起される電圧又は電流に関してヘッドピース４００により検出することができる。ヘッドピース４００は、これらの誘起特性の検出を、例えばモード変更をトリガする追加アクションのトリガとして使用することができる。更に、無線媒体１を使用した走査により、トランスポンダ６１０は、ヘッドフォンデバイスに関連する識別情報（例えばＢＤ＿ＡＤＤＲ又はブルートゥース（商標）ＩＤ）などの情報をＷＣＤ１００に返信することができる。
【００４８】
図６に示されている距離Ｄ１は距離Ｄ２よりも短い点に留意することは重要である。第２無線媒体（「媒体２」）は、ブルートゥース（商標）などの図１に示されている短距離アクティブ無線媒体の１つとすることができる。媒体２は、媒体１よりもかなり長い距離を有し、これにより、ユーザは、媒体２の標準実効動作レンジとは対照的に、ヘッドセット４００のようなリモートデバイスを媒体１の伝送レンジ内に入れるためにＷＣＤ１００により近接して該デバイスを移動させる必要がある。
【００４９】
Ｖ．デバイス制御の実施例
図７は、本発明の実施形態による複数のレジ的な応用を開示している。これらの応用の各々において、リモートデバイス、及び場合によっては更に走査デバイスのモードは、リモートデバイス内に配置されたマシン読み取り可能トランスポンダの短距離走査により変更される。例えば実施例７００は、ユーザ１１０が電話での会話を終えて、ＷＣＤ１００によりアクティブに保持されているピコネットからブルートゥース（商標）ヘッドセット４００を接続解除したいときに利用することができる。ヘッドセット４００は、ブルートゥース接続（図６の媒体２の例）の伝送距離内の位置からＷＣＤ１００内のＲＦＩＤリーダ（図６の媒体１の例）の走査レンジ内まで移動させることができる。ＷＣＤ１００は、ヘッドセット４００内のトランスポンダ６１０を読み取って、結果として、ヘッドセット４００はマスタのＷＣＤ１００によりピコネットから接続解除される。
【００５０】
更に、モード変更は、ヘッドセット４００及びＷＣＤ１００の両方による反応に起因して生じる可能性がある。ヘッドセット４００は、トランスポンダ６１０のアンテナコイル内の誘起電圧又は電流を感知することができ、感知されたこの電圧又は電流が、アクティブ通信モードから利用可能／受信モードへの切り替え、フル動作モードからパワーセーブモードへの切り替え、その他などのモード変更をトリガすることができる。２番目にトリガされた反応では、ＷＣＤ１００によるマシン読み取り可能トランスポンダの短距離走査が、ブルートゥース（商標）ＩＤなどの識別情報を返信し、これによりＷＣＤ１００は、ヘッドセット４００をピコネットのアクティブな加入から取り外すことができるようになる。一方又は両方のデバイスにおけるモード変更は、可聴、可視、又は触覚の信号を介してユーザに確認応答することができる。開示される実施例では、リモートデバイスのモードが変更されたことを示す可聴の「ピーッ！」音が鳴る。他のインジケータは、可視表示としてＬＥＤの点滅、振動、その他を含む。ヘッドセット４００の取り外しにより、ＷＣＤ１００内の割り当て済みリソースが解放されて、他のデバイスの接続を可能にするか、或いは既に処理中のタスク（例えば他の無線デバイス又はアクセスポイントからの情報のダウンロード）に追加の帯域幅が再割り当てされることになる。ＷＣＤ１００はまた、電話の通話のような別の所要の用途の場合にこのデバイスへの再接続を迅速に確立することができるように、接続解除されたリモートデバイスの識別情報を記録することもできる。
【００５１】
実施例７１０は、７００に示されている実施例の後で発生することができる。ユーザ１１０は更に、ヘッドセット４００で着信通話を受けたくないと決めることがあり、或いはこのエリア内の全てのポーリングマスタデバイスに対してヘッドセット４００を隠したい場合がある。７００と類似したプロセスにおいて、ユーザ１１０は、ヘッドセット４００をスキャンすることができるように、ヘッドセット４００をＷＣＤ１００により近接して移動させることができる。同様に、モード変更は、トランザクション中のデバイスの一方又は両方で行うことができる。実施例７１０では、前述の誘起電圧又は電流のトリガを使用してヘッドセット４００のモードを変更し、伝送レンジ内の全てのポーリングマスタデバイスに対しヘッドセットを隠すようにすることができる（すなわち、ヘッドセットはポーリング問い合わせに応答しない）。ＷＣＤ１００はまた、ヘッドセット４００の走査の結果としてリモートデバイスＩＤを受け取ることができ、この番号を記録して、このデバイスは、着信通話に対しコンタクトされるべきでない、発信通話に対しコンタクトされるべきでない、業務の着信通話、特定の発信元電話番号からの通話、緊急通話などの特定の状況下でのみコンタクトされるべきであることを示すことができる。デバイスモードのこれらの変更は、可聴、可視、又は触覚の表示を介してユーザ１１０に対して確認応答される。開示される実施例では、２回のピー音が、ヘッドセット４００が現在その存在をＷＣＤ１００に対しマスク又は隠しているモードであることを示している。
【００５２】
いずれかのデバイスにおける現在のモードから次のモードへの変更は、様々な要因に基づくことができる。ヘッドセット４００のような、あまり複雑でないリモートデバイスの場合、モード変更は、前の動作モードに基づくことができる。この方法では、モードは、事前設定された進行過程であるものから他のものに進むことができ、最終的には元のモードにリセットされる。より複雑なデバイスでは、同様のモード変更アルゴリズムが、デバイスの適切な次のモードを決定するのに使用される環境及び／又はデバイス関連変数の感知と組み合わせ又はこれに置き換えることができる。例えば、リモートデバイスは、時刻、日付、場所、伝送レンジ内の他のデバイスの数、パワーレベル、空きメモリ空間の量、その他を感知することができる。リモートデバイスは、感知されたこれらの条件を次の最適な動作モードを決定するアルゴリズムへの入力として使用することができる。
【００５３】
更に、これらの同じデバイス管理手法を使用して、ＷＣＤ１００を自動的に制御することができる。例えば、ユーザ１１０が電話の通話でアクティブに話しており、ヘッドセット４００が偶発的に走査されるようになる位置に入った場合、ヘッドセット４００は、誤ってピコネットから除外され、電話の通話が接続解除される可能性がある。しかしながら、このシナリオでヘッドセット４００を誤って接続解除するのを防ぐために、ヘッドセット４００が走査されるときに電話の通話がアクティブに接続されているか否かを考慮するための予防手段を講じることができる。感知された入力に対するこれらの反応は、製造者によりデフォルト設定としてプログラムすることができ、該デフォルト設定は、当該分野で公知の様々なメニュー方式インタフェースを介してユーザ１１０が後で変更することができる。デフォルト設定の変更は、特定のリモートデバイスの機能性を考慮し、或いはリモートデバイス及びＷＣＤ１００の両方に関わる特定のアプリケーションを考慮することが必要とされる場合がある。
【００５４】
３番目の実施例７２０では、ヘッドセット４００が前述の隠しモードに既に入った後にＷＣＤ１００により再度走査される。この場合、トランスポンダ６１０のアンテナで感知された電圧又は電流が、ヘッドセット４００の電源切断をトリガすることができる。長い「ピーッ！」音又は他のインジケータが、リモートデバイスの電源切断をしようとしていることをユーザに示すことができる。このモードはまた、前のモードに関わらず、リモートデバイスがＷＣＤ１００の走査レンジ内に持続的に存在することでトリガすることもできる。ＷＣＤ１００は、トランスポンダ６１０に含まれているリモートＩＤを再度読み取って、このリモートデバイスの電源が切断されたことを記録し、このリモートデバイスへの再接続の試みにおけるリソース消費を避けることができる。他の代替モードは、図示されていないが、ＷＣＤ１００による使用のためのリモートデバイスの非隠蔽、リモートデバイスからＷＣＤ１００へのアクティブ接続、その他を含むことができる。
【００５５】
図８Ａは、本発明の少なくとも１つの実施形態によるプロセスの基本フローチャートを開示している。このプロセスのステップ８００では、アクティブなデータ交換が既に進行中である。データ交換は、前述の例示的なリモートデバイスのいずれとも可能である。ステップ８０２において、データ交換のステータスが検証される。データ交換が継続してアクティブである場合には、ステップ８０６を通ってステップ８００に戻る。しかしながら、データ交換が完了した場合、ユーザ１１０は、手動で介入することを決めることができる。ステップ８０４においてユーザ１１０は、ＷＣＤ１００に近接してリモートデバイスを保持し、又はその逆も同様であり、リモートデバイスが走査できるようになる。リモートデバイスは切り離され、次いで、リモートデバイスとＷＣＤ１００との間のアクティブ接続が切断されたことを可聴信号が表示する（ステップ８０８）。しかしながら、ユーザ１１０は、状況によっては、無線デバイスの一方又は両方のモードを更に変更することが必要な場合がある。ユーザ１１０は、同様に、ステップ８２０で近接してデバイスを保持し、短距離マシン読み取り可能媒体１を介して走査を持続させることができ、次に、リモートデバイス内のトランスポンダを読み取って一方又は両方のデバイスのモード変更をトリガする。ステップ８２２において、一方又は両方のデバイスのモードが変わり、可聴信号が一方又は両方のデバイスの新しいモードを表示する。これ以上のモード変更が必要とされない場合、新規の接続問い合わせによりデバイスが再度アクティブ通信に入ることになるまでは、ステップ８１４でデバイスはモードに固有動作（デバイスの現在のモードに応じて）に入る（ステップ８２２は「Ａ」を通ってステップ８００に戻るようにリンクしている）。
【００５６】
本発明の少なくとも１つの実施形態によるリモートデバイスとＷＣＤ１００との間のより包括的な遭遇が図８Ｂで開示されている。ＷＣＤ１００は、無線媒体１を用いた走査動作を介してリモートデバイスに遭遇する（ステップ８２４）。例えば、ＷＣＤ１００は、埋め込まれたＲＦＩＤトランスポンダの走査を介してリモートデバイスを発見することができる。この走査の結果として、ＷＣＤ１００は、識別に関してリモートデバイスから返された情報（例えばブルートゥース（商標）アドレス又はＢＤ＿ＡＤＤＲ）を受信する。ステップ８２６において、ＷＣＤ１００は、識別情報に基づいてこのリモートデバイスが前に遭遇したか否かを判断する。発見されたリモートデバイスが今まで未知であった場合（例えば、このＢＤ＿ＡＤＤＲに関連する格納情報がない）、ＷＣＤ１００は、ステップ８２８及び８３０でこの新しい識別情報を格納し、無線媒体２（例えばブルートゥース（商標））を介してアクティブ通信の確立を試みることができる。或いは、遭遇したデバイスの情報がメモリから取り戻され、ステップ８３２で、無線媒体２を介したリモートデバイス接続の現在の状態が判断される。デバイスが現在接続されていない場合、ＷＣＤ１００は、最近読み取った及び／又は格納された情報を用いて、このリモートデバイスへの再接続を試みることができる（ステップ８３６）。そうでなければ、図８Ａの前述のような手順を用いて、アクティブに接続されたデバイスをＷＣＤ１００から接続解除することができる。
【００５７】
本発明は、他の場合では多大な設定、管理、及び場合によってはデバイスユーザの代わりの手動介入を必要としたはずの制御プロセスを自動化するので、既存のシステムに対する改善である。ユーザは、一方又は両方のデバイスにおけるモード変更を行うために、無線通信デバイスの走査近接内にリモートデバイスを単に移動させるだけでよい。次いで、ユーザは、複数の可聴、可視、又は触覚手法を介して一方又は両方のデバイスのモード変更の通知を受けることが可能であり、これによりユーザは、各デバイスの現在のモード、及びこれ以上のモード変更が必要か否かを認知することができる。この管理の全ては、単に、一方のデバイスから他方のデバイスへの近接により駆動され、例えば、ユーザが日常的に様々な動作及びタスクの同時並行作業で忙しいときに、デバイスの簡単な制御性を可能にする。
【００５８】
従って、当業者であれば、本発明の精神及び範囲から逸脱することなく、本発明に形式上及び詳細の様々な変更を行うことができる点は明らかであろう。本発明の外延及び範囲は、上述の例示的な実施形態のいずれによっても限定されるべきではなく、添付の請求項及び均等物によってのみ定義されるべきである。
【図面の簡単な説明】
【００５９】
【図１】本発明の少なくとも１つの実施形態を説明するために使用可能な短距離から長距離までの例示的な無線通信環境を開示する図である。
【図２】本発明の少なくとも１つの実施形態で使用可能な例示的な無線通信デバイスのモジュールの説明を開示する図である。
【図３】図２で既に説明された無線通信デバイスの例示的な構造的説明を開示する図である。
【図４】本発明の少なくとも１つの実施形態によって同じ無線媒体を介して無線通信デバイスと通信するように動作することができる例示的なリモートデバイスを開示する図である。
【図５】本発明の少なくとも１つの実施形態によって図４の前述の例示的なリモートデバイスの全てが同じ無線媒体を介して無線通信デバイスと同時に通信しようと試みる状況を開示する図である。
【図６】本発明の少なくとも１つの実施形態によって少なくとも２つの無線媒体を用いて無線通信デバイスと無線で通信を行うリモートデバイスを示す例示的なトランザクションの図である。
【図７】本発明の少なくとも１つの実施形態によって無線通信デバイスと通信を行うリモートデバイスの一方又は両方の複数の例示的なモード変更トランザクションを開示する図である。
【図８Ａ】本発明の少なくとも１つの実施形態によって無線通信デバイスと通信を行うリモートデバイスの一方又は両方の無線モード変更を示すフローチャートである。
【図８Ｂ】本発明の少なくとも１つの実施形態による無線通信デバイスと新しく発見されたリモートデバイスとの間の対話全体を示すフローチャートである。
【符号の説明】
【００６０】
１００  無線通信デバイス（ＷＣＤ）
４００  ヘッドセット
【図１】
2009521162.tif 000003
【図２】
2009521162.tif 000004
【図３】
2009521162.tif 000005
【図４】
2009521162.tif 000006
【図５】
2009521162.tif 000007
【図６】
2009521162.tif 000008
【図７】
2009521162.tif 000009
【図８Ａ】
2009521162.tif 000010
【図８Ｂ】
2009521162.tif 000011
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
第１無線媒体を介してデバイスから無線問い合わせを受信する段階であって、前記第１無線媒体は、前記デバイスと無線リンクが既に確立されている第２無線媒体よりも伝送レンジが短い、前記段階と、
前記無線問い合わせに応答してモード変更をトリガし、前記第２無線媒体を介した前記無線リンクを接続解除する段階と、
を含む方法。
【請求項２】
前記第１無線媒体が、無線周波数（ＲＦ）、赤外線（ＩＲ）、光学式文字認識（ＯＣＲ）、バーコード、容量性、磁気、及び導電性通信の少なくとも１つを利用してプライマリデバイスからリモートデバイスを走査するマシン読み取り可能媒体である、
ことを特徴とする請求項１に記載の方法。
【請求項３】
前記第２無線媒体がブルートゥースである、
ことを特徴とする請求項１に記載の方法。
【請求項４】
前記モード変更がアンテナでの誘起電圧及び／又は電流の感知に応答してトリガされ、前記アンテナを介して前記無線問い合わせを行う前記デバイスに情報を返すように通信モジュールが構成されており、前記デバイスが、前記情報を用いて情報ソースの身元を判断し、該判断に基づいてモードを変更するよう構成されている、
ことを特徴とする請求項１に記載の方法。
【請求項５】
前記第１無線媒体を介した第２の無線通信問い合わせが別のモード変更をトリガする、
ことを特徴とする請求項１に記載の方法。
【請求項６】
前記モード変更が、アクティビティレベル変更、他のデバイスへの可視性変更、又はパワーレベル維持変更の少なくとも１つを含む、
ことを特徴とする請求項５に記載の方法。
【請求項７】
前記第２の無線通信問い合わせが、前記第２無線媒体を介した新規の無線リンクの形成をトリガする、
ことを特徴とする請求項６に記載の方法。
【請求項８】
前記モード変更を確認するために、可聴、可視、又は触覚のインジケータが起動される、
ことを特徴とする請求項１に記載の方法。
【請求項９】
第１無線媒体を介した走査に応答してデバイスから情報を受信する段階と、
前記受信した情報に基づいて前記デバイスを識別する段階と、
第２無線媒体を介した前記識別デバイスとのリンクが存在するかどうかを判断する段階と、
前記判断に基づいてモード変更をトリガする段階と、
を含む方法。
【請求項１０】
前記モード変更は、前記第２無線媒体を介したリンクが存在すると判断された場合に前記識別デバイスを接続解除し、前記第２無線媒体を介したリンクが存在しないと判断された場合に前記識別デバイスとのリンクを確立する、
ことを特徴とする請求項９に記載の方法。
【請求項１１】
前記モード変更が、マスタポーリングモードから受信モードへの変更、電話通信モードから別のアクティブモードへの変更、及びアクティブポーリングモードからパワーセーブモードへの変更のうちの少なくとも１つを含む、
ことを特徴とする請求項９に記載の方法。
【請求項１２】
プライマリデバイスにおける前記モード変更を確認するために、可聴、可視、又は触覚のインジケータが起動される、
ことを特徴とする請求項９に記載の方法。
【請求項１３】
第１無線媒体を介してデバイスから無線問い合わせを受信するよう構成された第１通信モジュールであって、前記第１無線媒体は、前記デバイスと無線リンクが既に確立されている第２無線媒体よりも伝送レンジが短い、前記第１通信モジュールと、
前記無線問い合わせに応答してモード変更をトリガし、前記第２無線媒体を介した前記無線リンクを接続解除するように構成されたプロセッサと、
を備えるデバイス。
【請求項１４】
前記第１通信モジュールが、走査に応答して少なくともデバイス識別情報を返すように構成されたトランスポンダである、
ことを特徴とする請求項１２に記載のデバイス。
【請求項１５】
第１無線媒体を介した第２の無線通信問い合わせが別のモード変更をトリガする、
ことを特徴とする請求項１２に記載のデバイス。
【請求項１６】
前記モード変更が、アクティビティレベル変更、他のデバイスへの可視性変更、又はパワーレベル維持変更の少なくとも１つを含む、
ことを特徴とする請求項１５に記載のデバイス。
【請求項１７】
リモートデバイスにおける前記モード変更を確認するために、可聴、可視、又は触覚のインジケータが起動される、
ことを特徴とする請求項１に記載の方法。
【請求項１８】
第１無線媒体を介してデバイスから無線問い合わせを受信する手段であって、前記第１無線媒体は、前記デバイスと無線リンクが既に確立されている第２無線媒体よりも伝送レンジが短い、前記受信する手段と、
前記無線問い合わせに応答してモード変更をトリガし、前記第２無線媒体を介した前記無線リンクを接続解除する手段と、
を含むデバイス。
【請求項１９】
第１無線媒体を介した走査に応答してデバイスから情報を受信するよう構成されたスキャナと、
受信した前記情報に基づいて前記デバイスを識別するよう構成され、第２無線媒体を介した前記識別デバイスとのリンクが存在するかどうかを判断して、該判断に基づいてモード変更をトリガするよう更に構成されたプロセッサと、
を備えるデバイス。
【請求項２０】
前記モード変更は、前記第２無線媒体を介したリンクが存在すると判断された場合に前記識別デバイスを接続解除し、前記第２無線媒体を介したリンクが存在しないと判断された場合に前記識別デバイスとのリンクを確立する、
ことを特徴とする請求項１９に記載のデバイス。
【請求項２１】
前記モード変更が、マスタポーリングモードから受信モードへの変更、電話通信モードから別のアクティブモードへの変更、及びアクティブポーリングモードからパワーセーブモードへの変更のうちの少なくとも１つを含む、
ことを特徴とする請求項１９に記載のデバイス。
【請求項２２】
プライマリデバイスにおける前記モード変更を確認するために、可聴、可視、又は触覚のインジケータが起動される、
ことを特徴とする請求項１９に記載のデバイス。
【請求項２３】
第１無線媒体を介した走査に応答してデバイスから情報を受信する手段と、
前記受信した情報に基づいて前記デバイスを識別する手段と、
第２無線媒体を介した前記識別デバイスとのリンクが存在するかどうかを判断する手段と、
前記判断に基づいてモード変更をトリガする手段と、
を含むデバイス。
【請求項２４】
コンピュータ利用可能媒体を含み、コンピュータ読み出し可能プログラムコードを前記媒体内に具現化させたコンピュータプログラム製品であって、
第１無線媒体を介してデバイスから無線問い合わせを受信するよう構成されたコンピュータ読み出し可能プログラムコードであって、前記第１無線媒体は、前記デバイスと無線リンクが既に確立されている第２無線媒体よりも伝送レンジが短い、前記コンピュータ読み出し可能プログラムコードと、
前記無線問い合わせに応答してモード変更をトリガし、前記第２無線媒体を介した前記無線リンクを接続解除するよう構成されたコンピュータ読み出し可能プログラムコードと、
を備えるコンピュータ利用可能媒体。
【請求項２５】
コンピュータ利用可能媒体を含み、コンピュータ読み出し可能プログラムコードを前記媒体内に具現化させたコンピュータプログラム製品であって、
第１無線媒体を介した走査に応答してデバイスから情報を受信するよう構成されたコンピュータ読み出し可能プログラムコードと、
前記受信した情報に基づいて前記デバイスを識別するよう構成されたコンピュータ読み出し可能プログラムコードと、
第２無線媒体を介した前記識別デバイスとのリンクが存在するかどうかを判断するよう構成されたコンピュータ読み出し可能プログラムコードと、
前記判断に基づいてモード変更をトリガするよう構成されたコンピュータ読み出し可能プログラムコードと、
を備えるコンピュータ利用可能媒体。
【請求項２６】
リモートデバイスを制御するためのシステムであって、
リモートデバイスと、
プライマリデバイスと、
を備え、
前記プライマリデバイスが第１媒体を用いて前記リモートデバイスを走査し、且つ第２媒体を介して前記リモートデバイスと通信するよう構成されており、
前記リモートデバイスが、前記プライマリデバイスによる走査を感知し、前記走査に応答して情報を送信し且つモードを変更し、
前記プライマリデバイスが、前記リモートデバイスからの情報を受信し、該受信情報に基づいて前記リモートデバイスを識別して、第２無線媒体を介した前記リモートデバイスとのリンクが存在するかどうかを判断し、
前記プライマリデバイスが更に、前記判断に基づいてモード変更に入る、
ことを特徴とするシステム。
【国際調査報告】
2009521162.tif 000012
2009521162.tif 000013
2009521162.tif 000014